(57)【要約】【課題】本発明は、ワイヤーハーネスに斜め方向又は横方向からの引っ張りテンションが加わっても、防水性や防塵性を維持できるグロメットを提供する。【解決手段】本グロメット１は、ワイヤーハーネスＷが挿通される導管部２と、導管部２の外周方向に形成された取付部３と、導管部２の外周側と取付部３の内周側との間に形成された応力吸収部４とを有し、取付部３の側面に被装着部材の取付孔５に装着される固定溝３ｂが形成され、取付部３の上面に環状に浮き上がり抑制溝３ａが形成されている。【選択図】図１
2008198537.tif 000002
【特許請求の範囲】
【請求項１】
ワイヤーハーネスが挿通される導管部と、当該導管部の外周方向に形成された取付部と、前記導管部の外周側と前記取付部の内周側との間に形成された応力吸収部とを有し、前記取付部の側面に被装着部材の取付孔に装着される固定溝が形成されたグロメットにおいて、
前記取付部の上面に環状に浮き上がり抑制溝が形成されていることを特徴とするグロメット。
【請求項２】
前記浮き上がり抑制溝は、断面略Ｖ字状又は断面略Ｕ字状に形成されていることを特徴とする請求項１に記載のグロメット。
【請求項３】
前記浮き上がり抑制溝は、前記ワイヤーハーネスに斜め方向又は横方向からの引っ張りテンションが加わった場合、前記浮き上がり抑制溝の前記応力吸収部側の一方の側壁が引っ張られて持ち上がり、他方の側壁が傾いて沈みこむように形成されていることを特徴とする請求項１又は２に記載のグロメット。
【発明の詳細な説明】
【技術分野】
【０００１】
本発明は、グロメットに関し、特に、ワイヤーハーネスを車体等の取付孔に貫通させて配設するために用いられるグロメットに関する。
【背景技術】
【０００２】
一般に、ワイヤーハーネスを車体等に設けられたパネル等の取付孔に貫通させて配設する場合、ワイヤーハーネスの保護及び外部からの防水や防塵のためにグロメットが用いられている。
【０００３】
図２は、従来のグロメットを示す断面図である。図２（Ａ）に示すように、従来のグロメット５０は、ワイヤーハーネスＷが挿通される導管部５１と、パネル等の取付孔５２に装着される固定溝５３ａが形成された取付部５３と、導管部５１と取付部５３との間に形成された応力吸収部５４とを有し、応力吸収部５４は、導管部５１との連結部分に断面略Ｕ字状に折り返えされて形成された第１の応力吸収部５４ａと、取付部５３との連結部分に内周方向に断面略Ｕ字状に折り返えされて形成された第２応力吸収部５４ｂとを備えている。
【０００４】
従来のグロメットによれば、導管部５１に外力が加わっても、第１の応力吸収部５４ａ及び第２応力吸収部５４ｂが変形して、応力を吸収して取付部５３の変形を防ぐため、防水効果や防塵効果が減衰されることがない、としている（特許文献１参照）。
【特許文献１】特開平９−２５９６７２号公報
【発明の開示】
【発明が解決しようとする課題】
【０００５】
図２（Ｂ）に示すように、従来のグロメット５０では、ワイヤーハーネスＷに斜め方向又は横方向からの引っ張りテンションが加わり、応力吸収部５４が伸びきってしまうと、応力を吸収しきれなくなる。その結果、取付部５３に応力がかかって、取付部５３が変形し、大きく浮き上がってしまうおそれがある。
【０００６】
そのため、クリップ等で導管部５１を固定する必要があるが、固定していない場合には、防水効果や防塵効果が減衰されるという課題があった。
【０００７】
本発明は、上記課題を解決するためになされたものであり、ワイヤーハーネスに斜め方向又は横方向からの引っ張りテンションが加わっても、防水性や防塵性を維持できるグロメットを提供することを目的とする。
【課題を解決するための手段】
【０００８】
本発明のグロメットは、ワイヤーハーネスが挿通される導管部と、当該導管部の外周方向に形成された取付部と、前記導管部の外周側と前記取付部の内周側との間に形成された応力吸収部とを有し、前記取付部の側面に被装着部材の取付孔に装着される固定溝が形成されたグロメットにおいて、前記取付部の上面に環状に浮き上がり抑制溝が形成されていることを特徴とするものである。
【０００９】
前記浮き上がり抑制溝は、断面略Ｖ字状又は断面略Ｕ字状に形成されていてもよい。
【００１０】
前記浮き上がり抑制溝は、前記ワイヤーハーネスに斜め方向又は横方向からの引っ張りテンションが加わった場合、前記浮き上がり抑制溝の前記応力吸収部側の一方の側壁が引っ張られて持ち上がり、他方の側壁が傾いて沈みこむように形成されている。
【発明の効果】
【００１１】
請求項１に係る発明によれば、取付部の表面に浮き上がり抑制溝が形成されているので、ワイヤーハーネスに斜め方向又は横方向からの引っ張りテンションが加わって、応力吸収部が伸びきった場合であっても、浮き上がり抑制溝に応力がかかり、浮き上がり抑制溝の応力吸収部側の一方の側壁が引っ張られて持ち上がり、他方の側壁が傾いて沈みこむような動きが生じる。これによって、浮き上がろうとする取付部の動きを抑制することができ、取付部の浮き上がりによる変位量を小さくすることができる。
【００１２】
請求項２に係る発明によれば、取付部の浮き上がりを抑制する動きがし易くなる。
【００１３】
請求項３に係る発明によれば、取付部の浮き上がりによる変位量を小さくすることができる。
【発明を実施するための最良の形態】
【００１４】
以下、本発明の実施の形態について図面を参照して説明する。図１（Ａ）は本発明の実施形態例に係るグロメットを示す断面図、（Ｂ）はその平面図である。
【００１５】
図１（Ａ）及び（Ｂ）に示すように、本発明の実施形態例に係るグロメット１は、導管部２と、取付部３と、導管部２と取付部３との間に形成された応力吸収部４とを有し、これらは弾力性を有する絶縁材料、例えばゴム材等で一体に作られている。
【００１６】
また、導管部２、取付部３及び応力吸収部４は、中心軸線ＣＬを中心にして略対称に形成されている。
【００１７】
導管部２は、一定の肉厚を有する管形状に形成され、導管部２内にワイヤーハーネスＷが挿通されて、導管部２の開口端とワイヤーハーネスＷにかけて粘着テープを巻き付ける等して外部からの防水や防塵のためのシールが施される。
【００１８】
取付部３は、導管部２の一端側の外周方向にある程度間隔を隔てて形成され、人手による外力が加わっても比較的変形しにくい程度の肉厚を有している。
【００１９】
取付部３の上面には断面略Ｖ字状（又は断面略Ｕ字状）の浮き上がり抑制溝３ａが、取付部３の周辺に沿って環状に形成されている
また、取付部３には、車体等に設けられたパネル等の取付孔５の周縁に装着可能な固定溝３ｂが側面の外周に形成されており、取付孔５の周縁と固定溝３ｂが密着されることにより、車体（被装着部材）の取付孔５の防水や防塵のためのシールが施される。
【００２０】
応力吸収部４は、導管部２の外周側と取付部３の内周側との間に形成され、導管部２と同程度の肉厚を有して、導管部２の一端が外周方向に断面略Ｕ字状に折り返えされて形成されており、ワイヤーハーネスＷに応力が加わった際に撓んで弾性変形することで応力を吸収する。
【００２１】
図１（Ｃ）はワイヤーハーネスＷに斜め方向又は横方向からの引っ張りテンションが加わった状態を示す説明図である。
【００２２】
本発明の実施形態例に係るグロメット１によれば、取付部３の表面に浮き上がり抑制溝３ａが形成されているので、図１（Ｃ）に示すように、ワイヤーハーネスＷに斜め方向又は横方向からの引っ張りテンションが加わって、応力吸収部４が伸びきった場合であっても、浮き上がり抑制溝３ａに応力がかかり、浮き上がり抑制溝３ａの応力吸収部４側の一方の側壁が引っ張られて持ち上がり（矢印Ｘ方向）、他方の側壁が傾いて沈みこむような動き（矢印Ｙ方向）が生じる。これによって、浮き上がろうとする取付部３の動きを抑制することができ、取付部３の浮き上がりによる変位量Ｈを小さくすることができる。例えば、本発明者による実験によれば、本実施形態例のグロメット１の場合の変位量Ｈ１は、従来のグロメット５０の場合の変位量Ｈ２よりも１／４程度であった。
【００２３】
また、浮き上がり抑制溝３ａが断面略Ｖ字状又は断面略Ｕ字状に形成されているので、上述した取付部３の浮き上がりを抑制し易くなる。
【００２４】
なお、浮き上がり抑制溝３ａは応力が加わった際、拡開可能であればよいので、単なる切り込みの入った細い溝であってもよい。
【００２５】
また、浮き上がり抑制溝３ａは取付部３の上面に環状に形成されていればよいので、図１（Ｄ）に示すように、所定間隔の切れ目があってもよい。
【００２６】
本発明は、上記実施の形態に限定されることはなく、特許請求の範囲に記載された技術的事項の範囲内において、種々の変更が可能である。
【産業上の利用可能性】
【００２７】
本発明のグロメットは、例えばワイヤーハーネスＷを車体等の取付孔に貫通させて配設するために用いられる。
【図面の簡単な説明】
【００２８】
【図１】（Ａ）は本発明の実施形態例に係るグロメットを示す断面図、（Ｂ）はその平面図、（Ｃ）はワイヤーハーネスに斜め方向又は横方向からの引っ張りテンションが加わった状態を示す説明図、（Ｄ）は浮き上がり抑制溝の変形例を示す平面図である。
【図２】（Ａ）は従来のグロメットを示す断面図、（Ｂ）はワイヤーハーネスに斜め方向又は横方向からの引っ張りテンションが加わった状態を示す説明図である。
【符号の説明】
【００２９】
１：グロメット
２：導管部
３：取付部
４：応力吸収部
５：取付孔
３ａ：浮き上がり抑制溝
３ｂ：固定溝
Ｗ：ワイヤーハーネス
【図１】
2008198537.tif 000003
【図２】
2008198537.tif 000004